(57)【特許請求の範囲】
【請求項１】
収容部を有する筐体と、この筐体から突出し回転操作可能な第１筒状部を有する回転操作体と、この回転操作体の前記第１筒状部の内部に形成された貫通孔に軸線方向へ移動可能に挿通された押圧操作体と、前記回転操作体の回転動作を検出する回転検出手段と、前記押圧操作体の上下動に応じて動作されるプッシュスイッチとを備えた複合操作型電気部品において、
前記筐体には、前記収容部を第１収容部とこの第１収容部の下側に位置する第２収容部とに仕切る隔壁が設けられると共に、この隔壁の中央部に前記軸線方向に貫通した孔部を有する第２筒状部が前記第１収容部側に突出して設けられており、前記第２筒状部の外周部に前記回転操作体の前記貫通孔が回転可能に挿通され、前記孔部に前記押圧操作体の先端部が前記軸線方向に移動可能に挿入されており、前記第１収容部に前記回転検出手段を配設すると共に、前記第２収容部に前記押圧操作体の先端部によって駆動される前記プッシュスイッチを配設し、
前記プッシュスイッチは、前記第２収容部内に収容され、前記押圧操作体によって駆動されると共に上方に付勢された上下動可能な移動部材と、前記第２収容部に設けられた固定接点と、この固定接点と接離するとともに、前記移動部材に保持された可動接点とを有し、前記移動部材は、前記隔壁に対向するような板状に構成された基部とこの基部から上方へ突出して設けられた被押圧突起を備え、前記被押圧突起が前記隔壁の前記孔部に前記押圧操作体の先端部と対向して上下動可能に挿入されており、前記可動接点は前記基部の下面側に、前記被押圧突起から前記基部の板面方向に離間して設けられ、
前記基部の一方側に前記プッシュスイッチで構成される電源スイッチが配置され、前記被押圧突起を挟んだ前記基部の他方側に前記押圧操作体への押圧操作を検出する検出スイッチが配置されることを特徴とする複合操作型電気部品。
【請求項２】
前記検出スイッチは、前記移動部材に保持されたトーションばねと、このトーションばねの一対の腕部が当接可能な、前記第２収容部に設けられた一対の固定接点とから構成されている請求項１記載の複合操作型電気部品。
【請求項３】
前記被押圧突起と前記基部を挟んで対向する位置には、前記移動部材を上方へ付勢するコイルばねが設けられていることを特徴とする請求項１または２記載の複合操作型電気部品。
【請求項４】
前記移動部材には、前記コイルばねの一部を収容する凹部が設けられた収容凹部と、この収容凹部の外側部に互いに対向するように形成された一対の係合部とを備え、前記移動部材の上下動に伴って前記係合部と係脱する一対の弾性片が前記収容凹部の外側部を挟むように設けられていることを特徴とする請求項３記載の複合操作型電気部品。
【請求項５】
前記筐体は、前記固定接点が設けられた下ケースと前記隔壁を有すると共に前記下ケースを塞ぐように重ね合わされる上ケースとを備え、前記回転検出手段が、前記回転操作体の下側に設けられたコードパターンと、このコードパターンと摺接する摺動子からなり、前記摺動子が前記上ケースの側壁に設けられた切り欠き部に配置される合成樹脂からなる保持部材に埋設された状態で前記隔壁よりも上方に配設されていることを特徴とする請求項１から請求項４のいずれかに記載の複合操作型電気部品。
【請求項６】
前記上ケース及び下ケースは、前記保持部材よりも難燃性の高い合成樹脂により形成されていることを特徴とする請求項５記載の複合操作型電気部品。
【請求項７】
前記摺動子の先端側は前記保持部材から延出して下方に折り曲げられて外部端子を構成しており、この外部端子が前記下ケースの側壁に設けられた端子保持部に保持されていることを特徴とする請求項６記載の複合操作型電気部品。
【請求項８】
前記回転操作体の外周部には複数の凹凸部が設けられていると共に、前記上ケースには、前記凹凸部と係脱する突出部を有する一対のクリック板ばねが互いに対向して設けられていることを特徴とする請求項５から請求項７のいずれかに記載の複合操作型電気部品。
【発明の詳細な説明】
【技術分野】
【０００１】
本発明は、複合操作型電気部品に関し、特に、操作者から押圧操作及び回転操作を受け付け可能な複合操作型電気部品に関する。
【背景技術】
【０００２】
従来、電子レンジやカーオーディオ機器においては、操作者から押圧操作及び回転操作を受け付け可能な複合操作型電気部品が搭載されている。このような複合操作型電気部品として、プッシュスイッチの外周側にロータリスイッチを配置することで、部品全体の高さ寸法を低減するものが提案されている（例えば、特許文献１参照）。
【先行技術文献】
【特許文献】
【０００３】
【特許文献１】特開２００１−４３７７８号公報
【発明の概要】
【発明が解決しようとする課題】
【０００４】
しかしながら、上述した特許文献１に記載の複合操作型電気部品においては、プッシュスイッチの外周側にロータリスイッチが配置されていることから、平面視した場合の部品寸法の小型化の要請に対応することが困難である。特に、プッシュスイッチを電源スイッチに適用する場合、電源スイッチにおいては、一般に接点構造が大型化することから、更に平面視した場合の部品寸法を小型化することが困難となる。
【０００５】
平面視した場合の部品寸法の小型化の要請に対応すべく、プッシュスイッチの上方側にロータリスイッチを重ねて配置することが考えられる。プッシュスイッチの上方側にロータリスイッチを重ねて配置する場合、プッシュスイッチにおける押圧操作時のストローク量が大きくなることから、押圧操作を受ける押圧操作体を適切に上下移動させる必要がある。押圧操作体が適切に上下動しない場合には、プッシュスイッチのオン／オフ状態の切り替えタイミングのバラつきの原因となる。
【０００６】
また、プッシュスイッチの上方側にロータリスイッチを重ねて配置する場合には、プッシュスイッチのオン／オフ状態の切り替え時に発生する熱等に起因してロータリスイッチの回転検出手段の検出精度が劣化する事態が発生し得る。例えば、プッシュスイッチのオン／オフ状態の切り替え時に発生した熱は、回転検出手段を保持する筐体を変形させ、回転検出手段の構成部品間の位置関係を変化させ得る。このような構成部品間の位置関係の変化は、回転検出手段における検出精度の劣化の原因となる。特に、プッシュスイッチを電源スイッチに適用する場合、電源スイッチにおいては、一般に大容量の電流が流れることから、ロータリスイッチの回転検出手段の検出精度への影響が大きく、このような影響を考慮する必要がある。
【０００７】
本発明はこのような実情に鑑みてなされたものであり、平面視した場合の部品寸法の小型化を実現しつつ、プッシュスイッチのオン／オフ状態の切り替えタイミングのバラつきの発生及び回転検出手段の検出精度の劣化を抑制することができる複合操作型電気部品を提供することを目的とする。
【課題を解決するための手段】
【０００８】
本発明の複合操作型電気部品は、収容部を有する筐体と、この筐体から突出し回転操作可能な第１筒状部を有する回転操作体と、この回転操作体の前記第１筒状部の内部に形成された貫通孔に軸線方向へ移動可能に挿通された押圧操作体と、前記回転操作体の回転動作を検出する回転検出手段と、前記押圧操作体の上下動に応じて動作されるプッシュスイッチとを備えた複合操作型電気部品において、前記筐体には、前記収容部を第１収容部とこの第１収容部の下側に位置する第２収容部とに仕切る隔壁が設けられると共に、この隔壁の中央部に前記軸線方向に貫通した孔部を有する第２筒状部が前記第１収容部側に突出して設けられており、前記第２筒状部の外周部に前記回転操作体の前記貫通孔が回転可能に挿通され、前記孔部に前記押圧操作体の先端部が前記軸線方向に移動可能に挿入されており、前記第１収容部に前記回転検出手段を配設すると共に、前記第２収容部に前記押圧操作体の先端部によって駆動される前記プッシュスイッチを配設し、
前記プッシュスイッチは、前記第２収容部内に収容され、前記押圧操作体によって駆動されると共に上方に付勢された上下動可能な移動部材と、前記第２収容部に設けられた固定接点と、この固定接点と接離するとともに、前記移動部材に保持された可動接点とを有し、前記移動部材は、前記隔壁に対向するような板状に構成された基部とこの基部から上方へ突出して設けられた被押圧突起を備え、前記被押圧突起が前記隔壁の前記孔部に前記押圧操作体の先端部と対向して上下動可能に挿入されており、前記可動接点は前記基部の下面側に、前記被押圧突起から前記基部の板面方向に離間して設けられ、
前記基部の一方側に前記プッシュスイッチで構成される電源スイッチが配置され、前記被押圧突起を挟んだ前記基部の他方側に前記押圧操作体への押圧操作を検出する検出スイッチが配置されることを特徴とする。
【０００９】
この構成によれば、第１収容部に回転検出手段を配設する一方、第２収容部にプッシュスイッチを配設したことから、回転検出手段とプッシュスイッチとを、筐体の隔壁を介して上下に配置できるので、平面視した場合の部品寸法の小型化を実現できる。また、押圧操作体が第１筒状部の貫通孔に挿通されると共に、その先端部が第２筒状部の孔部に挿入されることから、当該貫通孔及び孔部の双方で押圧操作体を上下方向に案内できるので、押圧操作体を適切に上下動させることができ、プッシュスイッチのオン／オフ状態の切り替えタイミングのバラつきの発生を抑制できる。さらに、回転検出手段とプッシュスイッチとが隔壁で仕切られるため、プッシュスイッチのオン／オフ状態の切り替え時に発生する熱等の影響が回転検出手段に及ぶ事態を防止できるので、回転検出手段の検出精度の劣化を抑制できる。
【００１０】
また、隔壁の下方側に設けられた第２収容部の範囲内で固定接点及び可動接点を配置したので、大容量の電流に耐え得る接点構造を配置でき、プッシュスイッチを電源スイッチに適用できる。
【００１１】
さらに、被押圧突起を第２筒状部の孔部で案内できるので、移動部材の移動に伴うガタつきを軽減でき、効果的にプッシュスイッチの切替えタイミングのバラつきを抑制できる。
さらに、基部の一方側に電源スイッチが配置され、他方側に検出スイッチが配置されることから、移動部材の上下動に伴ってバランス良く電源スイッチ及び検出スイッチのオン／オフ状態を切り替えることができる。
【００１２】
上記複合操作型電気部品において、前記被押圧突起と前記基部を挟んで対向する位置には、前記移動部材を上方へ付勢するコイルばねが設けられている。この場合には、移動部材及び押圧操作体を上方へ付勢するコイルばねが被押圧突起と対向する位置に設けられることから、移動部材が傾いた状態で上下動し難くでき、プッシュスイッチの切替えタイミングの精度を向上できる。また、移動部材の復帰にコイルばねを用いていることから、移動部材の移動量を大きくできるので、初期状態（オフ状態）における固定接点と可動接点との間のギャップを大きく取ることができ、プッシュスイッチを電源スイッチに適用した場合でも、オフ状態の絶縁性を確保できる。
【００１３】
上記複合操作型電気部品において、前記移動部材には、前記コイルばねの一部を収容する凹部が設けられた収容凹部と、この収容凹部の外側部に互いに対向するように形成された一対の係合部とを備え、前記移動部材の上下動に伴って前記係合部と係脱する一対の弾性片が前記収容凹部の外側部を挟むように設けられている。この場合には、移動部材の上下動に伴って一対の弾性片を係合部に係脱させることができるので、復帰用のコイルばねを利用して押圧操作時にクリック感触を生起させることができる。また、各弾性片は、コイルばねを挟んで対向する外側部に配置される係合部を挟み込むことから、移動部材を傾けるような力が作用するのを防止できる。
【００１５】
上記複合操作型電気部品において、前記筐体は、前記固定接点が設けられた下ケースと前記隔壁を有すると共に前記下ケースを塞ぐように重ね合わされる上ケースとを備え、前記回転検出手段が、前記回転操作体の下側に設けられたコードパターンと、このコードパターンと摺接する摺動子からなり、前記摺動子が前記上ケースの側壁に設けられた切り欠き部に配置される合成樹脂からなる保持部材に埋設された状態で前記隔壁よりも上方に配設されている。この場合には、筐体が下ケース及び上ケースで構成されることから、筐体内に構成部品を収容する際の作業効率を向上できる。また、回転検出手段を構成する摺動子が、上ケースの一部に配置される保持部材に埋設された状態で隔壁よりも上方に配置されることから、プッシュスイッチのオン／オフ状態の切り替え時に発生する熱等の影響が摺動子に及ぶ事態を防止できるので、回転検出手段の検出精度の劣化を効果的に抑制できる。
【００１６】
上記複合操作型電気部品において、前記上ケース及び下ケースは、前記保持部材よりも難燃性の高い合成樹脂により形成されている。この場合には、プッシュスイッチを難燃性の高い合成樹脂で形成された上ケース及び下ケース内に収容できることから、プッシュスイッチのオン／オフ状態の切替え時に発生する熱やアーク放電の筐体外の構成部品への影響を防止でき、安全性を確保できる。
【００１７】
上記複合操作型電気部品において、前記摺動子の先端側は前記保持部材から延出して下方に折り曲げられて外部端子を構成しており、この外部端子が前記下ケースの側壁に設けられた端子保持部に保持されている。この場合には、下ケースの側壁に設けられた端子保持部により、保持部材から延出する外部端子が保持されることから、外部端子の位置を安定させることができ、プリント基板への実装作業を容易化できる。
【００１８】
上記複合操作型電気部品において、前記回転操作体の外周部には複数の凹凸部が設けられていると共に、前記上ケースには、前記凹凸部と係脱する突出部を有する一対のクリック板ばねが互いに対向して設けられている。この場合には、上ケースに、回転操作体の凹凸部と係脱する突出部を有する一対のクリック板ばねを設けていることから、回転操作体の回転に伴ってクリック感触を生起させることができる。また、上ケースに一対のクリック板ばねを設けていることから、バランス良く突出部を回転操作体の凹凸部に係脱させることができ、回転操作体が傾くのを抑制できる。さらに、下ケースを塞ぐように上ケースが重ねられるので、クリック感触の生起に伴う摩耗粉が下ケース内に入り込み難くでき、摩耗粉に起因するプッシュスイッチの接触不良を防止できる。
【発明の効果】
【００１９】
本発明によれば、平面視した場合の部品寸法の小型化を実現しつつ、プッシュスイッチのオン／オフ状態の切り替えタイミングのバラつきの発生及び回転検出手段の検出精度の劣化を抑制することができる。
【図面の簡単な説明】
【００２０】
【図１】本実施の形態に係る複合操作型電気部品の分解斜視図である。
【図２】上記実施の形態に係る複合操作型電気部品の分解斜視図である。
【図３】上記実施の形態に係る複合操作型電気部品を組み立てた場合の斜視図である。
【図４】図３からカバー部材と、下ケースより下方側の構成部品を取り除いた状態の斜視図である。
【図５】上記実施の形態に係る複合操作型電気部品が有する摺動部材とコード部材との関係の説明図である。
【図６】図３から上ケースより上方側の構成部品を取り除いた状態の斜視図である。
【図７】上記実施の形態に係る複合操作型電気部品が有する移動部材の下面図である。
【図８】図７に示す下方側から見た移動部材の側面図である。
【図９】図７に示す左方側から見た移動部材の側面図である。
【図１０】図７に示す右方側から見た移動部材の側面図である。
【図１１】上記実施の形態に係る複合操作型電気部品の初期状態の断面図である。
【図１２】上記実施の形態に係る複合操作型電気部品の初期状態の断面図である。
【図１３】上記実施の形態に係る複合操作型電気部品の初期状態の断面図である。
【図１４】上記実施の形態に係る複合操作型電気部品の押圧操作時の断面図である。
【図１５】上記実施の形態に係る複合操作型電気部品の押圧操作時の断面図である。
【図１６】上記実施の形態に係る複合操作型電気部品の押圧操作時の断面図である。
【図１７】上記実施の形態に係る複合操作型電気部品が利用される洗濯機の電源スイッチ回路の構成例を示す図である。
【図１８】上記実施の形態に係る複合操作型電気部品が利用される洗濯機の電源スイッチ回路の動作状態の説明図である。
【図１９】上記実施の形態に係る複合操作型電気部品が利用される洗濯機の電源スイッチ回路の動作状態の説明図である。
【図２０】上記実施の形態に係る複合操作型電気部品が利用される洗濯機の電源スイッチ回路の動作状態の説明図である。
【図２１】上記実施の形態に係る複合操作型電気部品が利用される洗濯機の電源スイッチ回路の動作状態の説明図である。
【図２２】上記実施の形態に係る複合操作型電気部品が利用される洗濯機の電源スイッチ回路の動作状態の説明図である。
【図２３】上記実施の形態に係る複合操作型電気部品が利用される洗濯機の電源スイッチ回路の動作状態の説明図である。
【図２４】上記実施の形態に係る複合操作型電気部品が利用される洗濯機の電源スイッチ回路の動作状態の説明図である。
【図２５】上記実施の形態に係る複合操作型電気部品が利用される洗濯機の電源スイッチ回路の動作状態の説明図である。
【図２６】上記実施の形態に係る複合操作型電気部品が利用される洗濯機の電源スイッチ回路の動作状態の説明図である。
【発明を実施するための形態】
【００２１】
以下、本発明の一実施の形態について添付図面を参照して詳細に説明する。本発明の一実施の形態に係る複合操作型電気部品（以下、単に「電気部品」という）は、操作者からの回転操作及び押圧操作を含む複数の操作を受け付け可能に構成されている。例えば、本実施の形態に係る電気部品は、洗濯機や電子レンジなどに搭載され、電源のオン／オフの切り替え操作や各種メニューの選択操作などに用いられる。なお、本実施の形態に係る電気部品が適用される機器及び用途については、これらに限定されるものではなく適宜変更が可能である。
【００２２】
図１及び図２は、本発明の一実施の形態に係る電気部品１の全体構成を示す分解斜視図である。なお、以下においては、説明の便宜上、図１に示す左下方側を「電気部品１の前方側」と呼び、図１に示す右上方側を「電気部品１の後方側」と呼ぶものとする。また、説明の便宜上、図１に示す上方側を「電気部品１の上方側」と呼び、図１に示す下方側を「電気部品１の下方側」と呼ぶものとする。
【００２３】
図１に示すように、本実施の形態に係る電気部品１は、電気部品１の筐体を構成する下ケース２及び上ケース３と、上ケース３の前面側に取り付けられる保持部材４と、下ケース２内に収納される移動部材５と、上ケース３に一部が収納される押圧操作体６及び回転操作体７と、構成部品を収納した下ケース２及び上ケース３に被せられるカバー部材８とを含んで構成されている。
【００２４】
下ケース２は、例えば、絶縁性の樹脂材料で成型される。より具体的には、ナイロンやポリブチレンテレフタレート（ＰＢＴ）などの難燃性の樹脂材料で形成される。下ケース２は、概して上方側に開口した形状を有しており、矩形状の底面部２０１と、この底面部２０１の側縁部から上方側に延出して設けられた側壁部２０２とを備えている。下ケース２内には、底面部２０１と側壁部２０２とにより形成される空間に収容部２０３が設けられている。なお、収容部２０３は、第２収容部を構成する。
【００２５】
収容部２０３の中央には、左右方向に延在して一対の壁部２０４が設けられている。これらの一対の壁部２０４は、下ケース２内における移動部材５の上下移動をガイドするガイド部として機能する。一対の壁部２０４内に配置される底面部２０１の中央には、軸部２０５が立設されている。壁部２０４の前方側に配置される底面部２０１には、一対の固定接点９が取り付けられる一対の挿通孔２０６が形成されている。一方、壁部２０４の後方側に配置される底面部２０１には、一対の固定接点１０が取り付けられる一対の挿通孔２０７が形成されている。各挿通孔２０７の前方側の底面部２０１には、矩形状の突出部２０８が設けられている。なお、右方側に配置される突出部２０８ａの上面は、左方側に配置される突出部２０８ｂの上面よりも高い位置に配置されている（図１２参照）。
【００２６】
下ケース２の四隅部の上端部には、外側に突出する係合片２０９が設けられている。対向する一対の側壁部２０２の外面中央には、僅かに外側に突出してスナップ係合片２１０が設けられている。前方側に配置される側壁部２０２には、後述する摺動部材１２の外部端子部１２１を保持する複数の端子保持部２１１が設けられている。複数の端子保持部２１１は、下ケース２の左右方向に配列されており、上方側から挿通される外部端子部１２１を保持可能に構成されている。後方側に配置される側壁部２０２の内面には、前方側に僅かに突出する一対のガイド部２１２が設けられている。これらのガイド部２１２は、上下方向に当該側壁部２０２の全体に亘って設けられている。
【００２７】
上ケース３は、下ケース２と同様に、例えば、絶縁性の樹脂材料であって、ナイロンやＰＢＴなどの難燃性の樹脂材料で形成される。上ケース３は、概して上方側に開口した形状を有しており、矩形状の底面部３０１と、この底面部３０１の側縁部から上方側に延出して設けられた側壁部３０２とを備えている。後方側に配置された側壁部３０２の内壁には、円弧形状を有する内壁面３０２ａが設けられている。前方側に配置された側壁部３０２の中央には、切り欠き部３０３が形成されている。上ケース３内には、底面部３０１と側壁部３０２とにより形成される空間に収容部３０４が設けられている。なお、底面部３０１は、筐体内の収容部を仕切る隔壁を構成する。また、収容部３０４は、第１収容部を構成する。
【００２８】
底面部３０１の中央には、上方側（収容部３０４側）に突出して筒状部３０５が設けられている。筒状部３０５は、第２筒状部を構成するものであり、側壁部３０２と略同一高さの位置まで突出して設けられている。筒状部３０５には、上下方向に上ケース３を貫通する貫通孔３０６が形成されている。貫通孔３０６は、非円形状に設けられ、より具体的には、概してＤ字形状に設けられている。対向する一対の側壁部３０２の内側には、クリック用板ばね（以下、単に「板ばね」という）１１を収容するばね収容部３０７が設けられている。ばね収容部３０７は、板ばね１１の端部を保持する一方、板ばね１１の中央部を収容部３０４側に露出可能に板ばね１１を収容する。
【００２９】
切り欠き部３０３近傍の角部には、一対の支柱部３０８が立設されている。この支柱部３０８は、ばね収容部３０７の一部を構成する。この支柱部３０８の前方側には、前方側の側壁部３０２との間に凹部３０９が設けられている。ばね収容部３０７が設けられた一対の側壁部３０２の中央には、下方側に延出する延出部３１０が設けられている。この延出部３１０の下端部近傍の中央には、開口部３１１が設けられている。
【００３０】
保持部材４は、例えば、絶縁性の樹脂材料であって、下ケース２や上ケース３よりも難燃性の低い樹脂材料で形成される。保持部材４は、概して長方形状を有する底面部４０１と、底面部４０１の後端部を除く側縁部から上方側に延出して設けられた側壁部４０２とを有している。前方側に配置された側壁部４０２の内壁には、円弧形状を有する内壁面４０２ａが設けられている。側方に配置された側壁部４０２の外壁には、上ケース３の支柱部３０８と係合する係合部４０２ｂが設けられている。
【００３１】
保持部材４には、導電性を有する金属板材に打ち抜き加工及び折り曲げ加工を施すことで形成される複数の摺動部材１２がインサート成型されている。摺動部材１２は、側面視して概してＬ字状に構成されており、上下方向に延在する外部端子部１２１と、この外部端子部１２１の上端部から後方側に延出する摺動子部１２２とから構成される。摺動部材１２は、摺動子部１２２における外部端子部１２１との接続部分（すなわち、摺動子部１２２の前端部分）近傍で保持部材４の底面部４０１に埋設されている。
【００３２】
摺動子部１２２の後端部近傍の上面には、僅かに上方側に突出した突出部１２３が設けられている。摺動子部１２２は、この突出部１２３で後述するコード部材１８に摺接可能に構成されている。本実施の形態において、摺動部材１２は、４本の外部端子部１２１と、３本の摺動子部１２２とを有している。４本の外部端子部１２１のうち、内側の２本の外部端子部１２１は、３本の摺動子部１２２の中央に配置される摺動子部１２２と連結されている。
【００３３】
移動部材５は、例えば、絶縁性の樹脂材料であって、ナイロンやポリブチレンテレフタレート（ＰＢＴ）などの難燃性の樹脂材料で形成される。移動部材５は、概して板状に構成された基部５０１を有している。基部５０１の下面であって、中央部近傍には下方側に延出して設けられた一対の壁部５０２が設けられている。一対の壁部５０２は、電気部品１の左右方向に延在し、互いに対向して設けられている。一対の壁部５０２の中央には、これらを連結する連結部５０３が設けられている。連結部５０３は、移動部材５の上下方向に延在する、概して直方体形状を有している。連結部５０３の中央には、下方側に開口した収容凹部５０３ａが設けられている。また、連結部５０３の各側面には、左右方向に僅かに突出して係合部５０３ｂが設けられている。移動部材５の下面においては、連結部５０３の側方側に一定の空間を有した状態で一対の壁部５０２が対向して配置されている。
【００３４】
収容凹部５０３ａには、コイルばね１３が収容される。コイルばね１３の下方側には、前面視（後面視）して概してＵ字形状を有する板ばね１４が配置される。板ばね１４は、平面形状を有する底面部１４１と、この底面部１４１の側端部から上方側に延出して設けられた一対の弾性片１４２とを有している。底面部１４１の中央には、円形状の開口部１４１ａが形成されている。一対の弾性片１４２の間隔は、移動部材５の連結部５０３の対向する側面部よりも僅かに狭く構成されている。一対の弾性片１４２の上端部近傍には、内側に突出する突出部１４２ａが設けられている。
【００３５】
基部５０１の上面中央には、上方側に突出する被押圧突起５０４が設けられている。この被押圧突起５０４は、概して円柱形状を有している。基部５０１の前端部の下面には、トーションばね１５を保持するばね保持部５０５が設けられている。ばね保持部５０５は、前方側に突出して設けられた軸部５０５ａと、この軸部５０５ａの側方側に設けられた一対の係止片５０５ｂとを有する。
【００３６】
トーションばね１５は、導電性を有する金属線材で構成され、巻回部１５１と、この巻回部１５１の下端部から側方側に延出する一対の腕部１５２とを有している。なお、トーションばね１５は、後述する検出スイッチの一部を構成する可動接点として機能する。
【００３７】
基部５０１の後端部の下面には、金属プレート１６を保持するプレート保持部５０６が設けられている。プレート保持部５０６は、基部５０１の後端部から下方側に延出して設けられる支持壁部５０６ａと、この支持壁部５０６ａの内側の基部５０１の下面から突出して設けられた軸部５０６ｂと、後方側の壁部５０２の僅かに後方側に設けられた一対の係止片５０６ｃとを有する。支持壁部５０６ａの下端部には、内側に突出して係止片５０６ｄが設けられている。支持壁部５０６ａの後面の端部には、僅かに後方側に突出するリブ状部５０７が設けられている。リブ状部５０７は、上下方向に支持壁部５０６ａの全体に亘って設けられている。
【００３８】
金属プレート１６は、導電性を有する金属板材で構成され、上面視して概して長尺形状を有している。金属プレート１６は、平面形状を有する底面部１６１と、この底面部１６１の一方の側端部に第１連結部１６２ａを介して設けられた第１平面部１６３ａと、底面部１６１の他方の側端部に第２連結部１６２ｂを介して設けられた第２平面部１６３ｂとを有する。なお、金属プレート１６は、後述する電源スイッチの一部を構成する可動接点として機能する。
【００３９】
底面部１６１の上面には、コイルばね１７の下端部を係止する突出部１６１ａが設けられている。第１連結部１６２ａ、第２連結部１６２ｂは、底面部１６１の側端部から側方側の斜め上方側に延出して設けられている。第１連結部１６２ａは、第２連結部１６２ｂよりも僅かに長い寸法に設計されている。第１平面部１６３ａ、第２平面部１６３ｂは、底面部１６１と略平行に平面上に配置される。第１連結部１６２ａと、第２連結部１６２ｂとの寸法の相違から、第１平面部１６３ａは、第２平面部１６３ｂよりも僅かに上方側の位置に配置される。第１平面部１６３ａ、第２平面部１６３ｂの下面には、それぞれ円盤形状の突出部１６３ｃ、１６３ｄが設けられている。第１平面部１６３ａに設けられた突出部１６３ｃの下面には、円形状の銀チップ１６３ｅが固着されている。また、第１平面部１６３ａ、第２平面部１６３ｂの前端部には、僅かに前方側に突出する突出片１６３ｆ、１６３ｇが設けられている。
【００４０】
押圧操作体６は、絶縁性を有する樹脂材料で構成され、概して円柱形状を有する操作軸部６１と、この操作軸部６１の下端部から下方側に延出して設けられた係合軸部６２とを有する。操作軸部６１の上端部近傍は、その一部に切欠き形状部６１ａが設けられている。操作軸部６１の上端部近傍は、上面視してＤ字形状の断面を有している。係合軸部６２の断面は、非円形状に設けられ、より具体的には、概してＤ字形状を有している。係合軸部６２の外周形状は、上ケース３の筒状部３０５に設けられた貫通孔３０６の内周形状と略一致する。
【００４１】
回転操作体７は、絶縁性を有する樹脂材料で成型される。回転操作体７は、概して円筒形状を有する筒状部７１と、この筒状部７１の下端部の外周に設けられた円盤形状部７２とを有する。筒状部７１が、第１筒状部を構成するものであり、その中央には、貫通孔７３が設けられている。また、筒状部７１の外周面には、上下方向に延在してスリット７１ａが設けられている。円盤形状部７２は、筒状部７１の下端部の外周から径方向に同一寸法だけ延出して設けられている。また、円盤形状部７２の外周側面部には、凹凸部７４が設けられている。凹凸部７４においては、凹部７４ａと凸部７４ｂとが連続して設けられている。
【００４２】
円盤形状部７２の下面には、導電性を有する金属板材に打ち抜き加工を施すことで形成されるコード部材１８がインサート成型される。コード部材１８は、概して円形状を有している。コード部材１８の中央には、円形状の開口部１８１が形成され、この開口部１８１の外側に環状部１８２が設けられている。環状部１８２の外側には、複数（本実施の形態では６個）の開口部１８３が形成されている。また、開口部１８３間には、径方向に延在する連結部１８４が形成されている。開口部１８１は、回転操作体７の貫通孔７３に対応する位置及び寸法に設計されている。複数の開口部１８３は、コード部材１８の周方向に並べて配置されている。インサート成型された状態において、これらの開口部１８３には、円盤形状部７２の下面に設けられた複数の突出部７５が収容される。開口部１８３から露出する突出部７５と連結部１８４とでコードパターンが構成される。
【００４３】
カバー部材８は、金属板材に打ち抜き加工及び折り曲げ加工を施すことで形成される。カバー部材８は、平面形状を有する上面部８１と、この上面部８１の側端部から下方側に延出して設けられる一対の側面部８２とを有する。上面部８１の中央には、円形状の開口部８１ａが設けられている。この開口部８１ａの周囲には、僅かに上方側に突出する支持壁部８１ｂが設けられている。また、上面部８１の前端部及び後端部の側方側の両端には、それぞれ一対の位置決め片８１ｃが設けられている。位置決め片８１ｃは、上面部８１から僅かに下方側に突出して設けられている。
【００４４】
側面部８２の下端部中央には、下方側に延出する取り付け片８２ａが設けられている。取り付け片８２ａは、組み立てられた状態の電気部品１を、電気部品１が実装される機器の被取付部に取り付けるための部分である。この取り付け片８２ａの前方側及び下方側には、僅かに内側に折り曲げられた一対の固定片８２ｂが設けられている。これらの固定片８２ｂは、上ケース３が重ねられた下ケース２にカバー部材８を固定するための部分である。
【００４５】
一対の固定接点９は、導電性を有する金属板材に打ち抜き加工及び折り曲げ加工を施すことで形成される。各固定接点９は、後述する検出スイッチの一部を構成し、平面形状を有する平面部９１と、この平面部９１から下方側に延出して設けられる外部端子部９２とを有する。各固定接点９は、外部端子部９２が挿通孔２０６に挿通されて下ケース２に固定される。各固定接点９の外部端子部９２は、下ケース２に固定された状態において、下ケース２の下面から突出するように構成されている。
【００４６】
一対の固定接点１０は、導電性を有する金属板材に打ち抜き加工及び折り曲げ加工を施すことで形成される。各固定接点１０は、後述する電源スイッチの一部を構成し、平面形状を有する平面部１０１と、この平面部１０１から下方側に延出して設けられる外部端子部１０２とを有する。一方の固定接点１０の平面部１０１の上面には、円形状の銀チップ１０３が固着されている。各固定接点１０は、外部端子部１０２が挿通孔２０７に挿通されて下ケース２に固定される。各固定接点１０の外部端子部１０２は、下ケース２に固定された状態において、下ケース２の下面から突出するように構成されている。
【００４７】
一対の板ばね１１は、それぞれ弾性を有する金属板材に打ち抜き加工及び折り曲げ加工を施すことで形成される。各板ばね１１は、電気部品１の前後方向に延在する長尺体で構成される。板ばね１１の中央には、内側に向けて突出する突出部１１１が設けられている。この突出部１１１は、回転操作体７の円盤形状部７２の凹凸部７４と係脱してクリック感触を生起するものである。
【００４８】
図３は、本実施の形態に係る電気部品１を組み立てた場合の斜視図である。図３に示すように、電気部品１を組み立てると、移動部材５、押圧操作体６及び回転操作体７などの構成部品が筐体（下ケース２及び上ケース３）に収容された状態でカバー部材８が被せられる。カバー部材８は、側面部８２を上ケース３の側壁部３０２に対向させ、位置決め片８１ｃを上ケース３の前面及び後面に対向させた状態で、固定片８２ｂを係合片２０９に係合させることで下ケース２に固定される。
【００４９】
保持部材４は、上ケース３の前面に設けられた切り欠き部３０３に配置されている。保持部材４にインサート成型された摺動部材１２の外部端子部１２１は、電気部品１の前面に沿って下方側に延出するように配置されている。外部端子部１２１は、下ケース２の端子保持部２１１に挿通された状態で保持されている。
【００５０】
回転操作体７の筒状部７１は、カバー部材８に形成された開口部８１ａから露出している。回転操作体７の筒状部７１は、その外周部をカバー部材８に設けられた支持壁部８１ｂで支持されている。押圧操作体６の操作軸部６１は、筒状部７１に設けられた貫通孔７３に挿通されている。操作軸部６１は、その上端部分が筒状部７１から露出している。このように組み立てられた状態で電気部品１は、操作者から押圧操作体６で押圧操作を受け付けると共に、回転操作体７で回転操作を受け付け可能に構成されている。
【００５１】
以下、本実施の形態に係る電気部品１の内部構造について説明する。図４は、図３からカバー部材８と、下ケース２より下方側の構成部品を取り除いた状態の斜視図である。図４に示すように、上ケース３の収容部３０４には、回転操作体７の円盤形状部７２が収容されている。また、上ケース３のばね収容部３０７には、板ばね１１が収容されている。板ばね１１は、突出部１１１を収容部３０４側に突出させた状態でばね収容部３０７に収容されている。円盤形状部７２の凹凸部７４は、収容部３０４に収容された状態で板ばね１１の突出部１１１が係脱可能な寸法に構成されている。操作者からの回転操作に応じて円盤形状部７２が回転すると、これに伴って板ばね１１の突出部１１１が係脱する。
【００５２】
保持部材４は、対向する側壁部４０２に設けられた係合部４０２ｂにより、支柱部３０８と係合した状態で上ケース３の切り欠き部３０３に配置されている。この場合、保持部材４の前方側に配置された側壁部４０２は、上ケース３の前方側の側壁部３０２と同一平面上に配置される。保持部材４の底面部４０１に埋設された摺動部材１２のうち、摺動子部１２２は、円盤形状部７２の下面にインサート成型されたコード部材１８の下面に摺接可能に配置されている。
【００５３】
図５は、本実施の形態に係る電気部品１が有する摺動部材１２とコード部材１８との関係の説明図である。図５においては、図４から上ケース３を取り除いた状態の下面図を示している。なお、以下においては、説明の便宜上、図５に示す左方側に配置された摺動子部１２２を「摺動子部１２２ａ」と呼び、図５に示す右方側に配置された摺動子部１２２を「摺動子部１２２ｂ」と呼び、摺動子部１２２ａと摺動子部１２２ｂとの間に配置された摺動子部１２２を「摺動子部１２２ｃ」と呼ぶものとする。
【００５４】
図５に示すように、摺動子部１２２（１２２ａ〜１２２ｃ）は、円盤形状部７２の下面に埋設されたコード部材１８と対向して配置されている。図５の状態において、摺動子部１２２ａは、コード部材１８に形成された開口部１８３に対応する位置に配置されているとともに、摺動子部１２２ｂは、コード部材１８に形成された連結部１８４に対応する位置に配置されている。また、摺動子部１２２ｃは、環状部１８２に対応する位置に配置されている。
【００５５】
コード部材１８の開口部１８３は、内側開口部１８３ａと、この内側開口部１８３ａの外周側に連続して形成された外側開口部１８３ｂとを有している。外側開口部１８３ｂは、内側開口部１８３ａから周方向（より具体的には、時計回り方向）にずれた位置に配置されている。摺動子部１２２ａは、開口部１８３のうち、外側開口部１８３ｂに対応する円周上の位置に配置され、摺動子部１２２ｂは、内側開口部１８３ａに対応する円周上の位置に配置されている。
【００５６】
本実施の形態では、摺動子部１２２ｃを共通の接点端子部として利用する一方、摺動子部１２２ａ、１２２ｂを切替端子部として利用する。上述したように摺動子部１２２ａ〜１２２ｃを配置することにより、摺動子部１２２ａと摺動子部１２２ｃとが導通状態となるタイミングと、摺動子部１２２ｂと摺動子部１２２ｃとが導通状態となるタイミングを時間的にずらすことができる。これらの摺動子部１２２ａ〜１２２ｃにおける導通状態の切替え状態及び切替え回数を検出することにより、電気部品１においては、回転操作体７の回転方向及び回転角度を検出可能に構成されている。すなわち、回転操作体７の円盤形状部７２の下面に設けられたコードパターンと、摺動部材１２の摺動子部１２２とで回動操作体７の回転を検出する回転検出手段が構成される。
【００５７】
図６は、図３から上ケース３より上方側の構成部品を取り除いた状態の斜視図である。図６に示すように、下ケース２の収容部２０３には、移動部材５が収容されている。移動部材５は、一対の壁部５０２を、下ケース２の一対の壁部２０４間の空間（以下、「中央空間」という）に配置した状態で下ケース２に収容されている。操作者から押圧操作を受けていない初期状態において、移動部材５の基部５０１の上面は、下ケース２の側壁部２０２の上端部と略同一高さの位置に配置される。
【００５８】
中央空間には、コイルばね１３及び板ばね１４が収容されている。板ばね１４は、底面部１４１に形成された開口部１４ａに軸部２０５が挿通された状態で配置されている。コイルばね１３は、開口部１４ａから突出した軸部２０５に取り付けられている。軸部２０５に取り付けられたコイルばね１３の上端部は、移動部材５の連結部５０３に設けられた収容凹部５０３ａに収容されている。基部５０１の上面に設けられた被押圧突起５０４の中心は、軸部２０５の中心と一致するように配置される。軸部２０５に取り付けられたコイルばね１３は、被押圧突起５０４と基部５０１を挟んで対向する位置に配置されている。
【００５９】
収容部２０３に収容された状態で移動部材５のばね保持部５０５は、前方側の側壁部２０２と前方側の壁部２０４との間の空間（以下、「前方空間」という）に配置される。また、移動部材５のプレート保持部５０６は、後方側の側壁部２０２と後方側の壁部２０４との間の空間（以下、「後方空間」という）に配置される。この場合、プレート保持部５０６を構成する支持壁部５０６ａに設けられた一対のリブ状部５０７は、後方側の側壁部２０２の一対のガイド部２１２の内側に配置される。
【００６０】
前方空間において、底面部２０１の挿通孔２０６には、平面部９１が露出した状態で固定接点９が取り付けられている。初期状態において、ばね保持部５０５に保持されたトーションばね１５の一対の腕部１５２は、それぞれ固定接点９の平面部９１に一定間隔を挟んで対向して配置されている。本実施の形態に係る電気部品１においては、これらのトーションばね１５と、一対の固定接点９とで押圧操作体６に対する押圧操作を検出する検出スイッチが構成される。
【００６１】
一方、後方空間において、底面部２０１の挿通孔２０７には、平面部１０１が露出した状態で固定接点１０が取り付けられている。初期状態において、プレート保持部５０６に保持された金属プレート１６の突出部１６３ｃ、１６３ｄは、それぞれ固定接点１０の平面部１０１に一定間隔を挟んで対向して配置されている。本実施の形態に係る電気部品１においては、移動部材５と、移動部材５に保持される金属プレート１６と、一対の固定接点１０とでプッシュスイッチが構成される。特に、このプッシュスイッチは、電源スイッチとして利用される。
【００６２】
ここで、トーションばね１５及び金属プレート１６を保持した状態の移動部材５の構成について図７〜図１０を用いて説明する。図７は、本実施の形態に係る電気部品１が有する移動部材５の下面図である。図８は、図７に示す下方側から見た移動部材５の側面図である。図９は、図７に示す左方側から見た移動部材５の側面図である。図１０は、図７に示す右方側から見た移動部材５の側面図である。図７〜図１０においては、いずれもトーションばね１５及び金属プレート１６を保持した状態の移動部材５について示している。また、図７〜図１０においては、初期状態における移動部材５について示している。
【００６３】
図７に示すように、移動部材５においては、基部５０１の中央に一対に壁部５０２が一定距離離間して配置されている。一対の壁部５０２の中央には、連結部５０３が設けられている。連結部５０３の中央には、図７に示す紙面奥側に向かって円形状の収容凹部５０３ａが設けられている。また、連結部５０３の側方の外壁面には、それぞれ係合部５０３ｂが設けられている。これらの係合部５０３ｂは、連結部５０３の外壁面の下方側部分において、僅かに側方側に突出して設けられている（図９及び図１０参照）。被押圧突起５０４は、図７に示す収容凹部５０３ａの背面側の位置に設けられている（図９及び図１０参照）。
【００６４】
ばね保持部５０５は、電気部品１の前方側（図７に示す上方側）の壁部５０２の前方側に配置される基部５０１に設けられている。図９及び図１０に示すように、ばね保持部５０５は、基部５０１の下方側であって、その前端部から前方側に突出して設けられている。ばね保持部５０５において、トーションばね１５は、巻回部１５１を軸部５０５ａに挿通されると共に、一対の腕部１５２を係止片５０５ｂで係止された状態で保持される。係止片５０５ｂに係止された一対の腕部１５２の先端は、係止片５０５ｂよりも側方側に突出した状態となっている。固定接点９の平面部９１には、この係止片５０５ｂから側方側に突出した部分で接触可能に構成されている。
【００６５】
プレート保持部５０６は、電気部品１の後方側（図７に示す下方側）の壁部５０２の後方側に配置される基部５０１に設けられている。図９及ぶ図１０に示すように、プレート保持部５０６は、基部５０１の下方側に設けられている。プレート保持部５０６において、金属プレート１６は、底面部１６１の後端部を下方側から係止片５０６ｄで支持されると共に、第２平面部１６３ｂに設けられた突出片１６３ｇの前端部を下方側から係止片５０６ｃで支持されている。なお、上述したように、第１平面部１６３ａは、第２平面部１６３ｂよりも高い位置に配置されているため、第１平面部１６３ａに設けられた突出片１６３ｆは、係止片５０６ｃに接触していない（図９参照）。突出片１６３ｆに対応する係止片５０６ｃは、プレート保持部５０６からの金属プレート１６の脱落防止のために利用される。
【００６６】
図９及び図１０に示すように、プレート保持部５０６の軸部５０６ｂには、コイルばね１７が取り付けられている。コイルばね１７は、金属プレート１６の底面部１６１の上面と、基部５０１の下面との間に配置され、金属プレート１６を下方側に付勢している。すなわち、金属プレート１６には、初期状態において、コイルばね１７の付勢力によりプリテンションが掛っている。コイルばね１７に付勢された状態において、金属プレート１６は、図８〜図１０に示すように、前方側端部が上方側に傾斜した状態でプレート保持部５０６に保持されている。第１平面部１６３ａ、第２平面部１６３ｂの下面に設けられた突出部１６３ｃ（銀チップ１６３ｅを含む）、１６３ｄの下端部の位置は、略同一高さの位置に配置されている。
【００６７】
図１１〜図１３は、本実施の形態に係る電気部品１の断面図である。図１１においては、押圧操作体６の操作軸部６１の中心と、板ばね１１の突出部１１１の中央とを通過する断面について示している。図１２においては、図１１に示す断面と平行な断面であって、移動部材５の軸部５０６ｂの中心を通過する断面について示している。図１３においては、図１１に示す断面と平行な断面であって、移動部材５の軸部５０５ａの先端部を通過する断面について示している。なお、図１１〜図１３においては、いずれも初期状態の電気部品１について示している。
【００６８】
図１１に示すように、移動部材５は、被押圧突起５０４を上方側に突出させた状態で下ケース２の収容部２０３に収容されている。また、回転操作体７は、筒状部７１を上方側に突出させた状態で円盤形状部７２が上ケース３の収容部３０４に収容されている。回転操作体７を収容した上ケース３の上方側からカバー部材８が被せられる。回転操作体７は、カバー部材８の上面８１に形成された支持壁部８１ｂで筒状部７１の外周面を支持され、回転動作可能に上ケース３に収容される。
【００６９】
下ケース２の収容部２０３において、板ばね１４は、開口部１４１ａを軸部２０５に挿通された状態で配置されている。開口部１４１ａから突出する軸部２０５にコイルばね１７が取り付けられている。コイルばね１７が取り付けられた軸部２０５は、移動部材５の収容凹部５０３ａに収容される。コイルばね１７は、板ばね１４の底面部１４１の上面と、収容凹部５０３ａの天井面との間に配置され、移動部材５を上方側に付勢している。板ばね１４の一対の弾性片１４２は、突出部１４２ａが連結部５０３の外壁面を挟み込むように配置されている。この場合、弾性片１４２の突出部１４２ａは、連結部５０３の係合部５０３ｂよりも下方側の部分を挟み込んだ状態となっている。
【００７０】
移動部材５の被押圧突起５０４は、上ケース３の筒状部３０５に設けられた貫通孔３０６に下方側から収容される。筒状部３０５は、回転操作体７の貫通孔７３に下方側から収容される。この場合、回転操作体７は、筒状部３０５の外周部に、筒状部７１の貫通孔７３が回転可能にガイドされた状態とされる。貫通孔７３には、押圧操作体６が上下移動可能に収容される。押圧操作体６の係合軸部６２は、筒状部３０５の貫通孔３０６に上方側から挿通されている。係合軸部６２の下端部は、移動部材５の被押圧突起５０４の上面に載置された状態となっている。
【００７１】
移動部材５のプレート保持部５０６に保持された金属プレート１６は、図１２に示すように、その下面に設けられた突出部１６３ｃ、１６３ｄが、下ケース２の底面部２０１に取り付けられた一対の固定接点１０の平面部１０１から離間した位置に配置されている。図１２に示す右方側に配置された固定接点１０（以下、「固定接点１０ａ」という」は、底面部２０１の突出部２０８ａ上に載置された状態で取り付けられている。一方、図１２に示す左方側に配置された固定接点１０（以下、「固定接点１０ｂ」という」は、底面部２０１の突出部２０８ｂ上に載置された状態で取り付けられている。固定接点１０ａの平面部１０１の上面は、固定接点１０ｂの平面部１０１上に設けられた銀チップ１０３の上面よりも高い位置に配置されている。
【００７２】
移動部材５のばね保持部５０５に保持されたトーションばね１５は、図１３に示すように、一対の腕部１５２が、下ケース２の底面部２０１に取り付けられた一対の固定接点１９の平面部９１から離間した位置に配置されている。トーションばね１５の一対の腕部１５２は、巻回部１５１の下端部近傍から側方側に向けて略水平に延出している。一対の腕部１５２のうち、固定接点９の平面部９１に対向配置される部分は、それぞれ略同一高さの位置に配置されている。
【００７３】
以下、上記構成を有する本実施の形態に係る電気部品１の動作について説明する。まず、操作者から回転操作体７で回転操作を受け付けた場合の動作について図５及び図１１を参照しながら説明する。回転操作を受け付けると、回転操作体７は、図１１に示すように、上ケース３の筒状部３０５の外周面でガイドされると共に、カバー部材８の支持壁部８１ｂの内周面でガイドされた状態で回転する。回転操作体７が回転すると、上ケース３のばね収納部３０７に収納された板ばね１１の突出部１１１は、円盤形状部７２に設けられた凹凸部７４に係脱する。このような突出部１１１における凹凸部７４との係脱に応じてクリック感触が生起される。この場合、上ケース３には、一対の板ばね１１が設けられていることから、バランス良く突出部１１１を回転操作体７の凹凸部７４に係脱させることができ、回転操作体６が傾くのを抑制できる。さらに、上ケース３が下ケース２を塞ぐように重ねられているので、クリック感触の生起に伴う摩耗粉が下ケース２内に入り込み難くでき、摩耗粉に起因するプッシュスイッチの接触不良を防止できる。
【００７４】
回転操作体７の回転に伴って、円盤形状部７２の下面に固定されたコード部材１８も回転する。コード部材１８の回転に伴って、複数の摺動部材１２が有する摺動子部１２２の突出部１２２ａとコード部材１８との間の摺接位置が相対的に変化する。この場合、図５に示す摺動子部１２２ａ、１２２ｂは、開口部１８３を介して露出する回転操作体７の突出部７５及び開口部１８３間のコード部材１８４上を摺動し、図５に示す摺動子部１２２ｃは、環状部１８２上を摺動する。上述したように、開口部１８３には、周方向にずれて配置された内側開口部１８３ａ及び外側開口部１８３ｂが形成されているので、異なるタイミングで摺動子部１２２ａと摺動子部１２２ｃとの間の導通状態と、摺動子部１２２ｂと摺動子部１２２ｃとの間の導通状態とが切り替えられる。これらの摺動子部１２２ａ〜１２２ｃにおける導通状態の切替え状態及び切替え回数を検出することにより、電気部品１においては、回転操作体７の回転方向及び回転角度が検出される。
【００７５】
次に、操作者から押圧操作体６で押圧操作を受け付けた場合の動作について図１４〜図１６を参照しながら説明する。図１４〜図１６は、本実施の形態に係る電気部品１で押圧操作を受け付けた場合の断面図である。図１４〜図１６に示す断面は、それぞれ図１１〜図１３に示す断面と共通する。なお、図１４〜図１６においては、いずれも押圧操作体６を下限位置まで押圧した状態の電気部品１について示している。
【００７６】
図１１に示す初期状態から押圧操作を受け付けると、押圧操作体６は、回転操作体７の筒状部７１の貫通孔７３の内周面及び上ケース３の筒状部３０６の貫通孔３０６の内壁面に案内されて下方側に移動する。押圧操作体６の下方側に移動すると、係合軸部６２の下端部が移動部材５の被押圧突起５０４の上端部を押下する（図１４参照）。移動部材５は、押圧操作体６の下方移動に伴ってコイルばね１７の付勢力に抗して下方側に移動する。この場合、移動部材５は、被押圧突起５０４を筒状部３０５の貫通孔３０６の内周面に案内されると共に、下ケース２の一対の壁部２０４及び一対のガイド部２１２で案内され、下方側に移動する。このように被押圧突起５０４を筒状部３０５の貫通孔３０６で案内しているので、移動部材５の移動に伴うガタつきが軽減される。
【００７７】
移動部材５が下方側に移動すると、板ばね１４の弾性片１４２に設けられた突出部１４２ａは、連結部５０３の外壁面上を摺動する。図１４に示すように、移動部材５が下限位置まで移動すると、一対の弾性片１４２の突出部１４２ａは、連結部５０３の係合部５０３ｂ上を乗り越える。このような係合部５０３ｂを乗り越える際の一対の弾性片１４２の移動に伴ってクリック感触が生起される。
【００７８】
プレート保持部５０６に保持された金属プレート１６は、移動部材５の移動に伴って下方側へ移動する。そして、移動部材５が下限位置まで移動すると、図１５に示すように、第１平面部１６３ａの下面に設けられた突出部１６３ｃ及び第２平面部１６３ｂの下面に設けられた突出部１６３ｄが固定接点１０の平面部１０１の上面に当接する。これにより、固定接点１０ａ、１０ｂ間が金属プレート１６を介して導通状態となる。この結果、プッシュスイッチがオン状態に切り替えられる。
【００７９】
なお、移動部材５が下限位置まで移動する過程においては、まず、第２平面部１６３ｂの下面に設けられた突出部１６３ｄが固定接点１０ａの平面部１０１の上面に当接する。その後、第１平面部１６３ａの下面に設けられた突出部１６３ｃ上の銀チップ１６３ｅが固定接点１０ｂの平面部１０１上の銀チップ１０３の上面に当接する。異なるタイミングによる突出部１６３ｃ、１６３ｄの固定接点１０への当接は、下ケース２の下面に設けられた突出部２０８ａ、２０８ｂの上面の高低差と、金属プレート１６の第１連結部１６２ａ、第２連結部１６２ｂの寸法差とにより実現される。すなわち、突出部２０８ｂの上面位置を突出部２０８ａの上面位置よりも高く設定する一方、第１連結部１６２ａの長さ寸法を第２連結部１６２ｂの長さ寸法よりも長く設定することにより、突出部１６３ｃ、１６３ｄの異なるタイミングによる当接を確保している。
【００８０】
ここで、遅れて当接する突出部１６３ｃ及び固定接点１０ｂにそれぞれ銀チップ１６３ｅ、１０３を設けているのは、固定接点１０ａ、１０ｂ間の導通状態への切替え時に発生するアーク放電等に対応するためである。また、突出部１６３ｃ及び固定接点１０ｂを、突出部１６３ｄ及び固定接点１０ａに遅らせて当接させているのは、金属プレート１６に比べて抵抗値の低い銀チップ１６３ｅ、１０３によって固定接点１０ａ、１０ｂ間の導通状態を切り替えるためである。
【００８１】
ばね保持部５０５に保持されたトーションばね１５は、移動部材５の移動に伴って下方側へ移動する。そして、移動部材５が下限位置まで移動すると、図１６に示すように、一対の腕部１５２が固定接点９の平面部９１の上面に当接する。これにより、一対の固定接点９間がトーションばね１５を介して導通状態となる。なお、一対の腕部１５２の当接は、移動部材５の下方側への移動に伴って略同タイミングで一対の固定接点９の平面部９１に当接するように構成されている。
【００８２】
そして、押圧操作が解除されると、コイルばね１７の付勢力に応じて移動部材５を介して押圧操作体６が上方側へ移動する。これにより、電気部品１は、図１１に示す初期状態に復帰する。移動部材５が上方側に移動すると、板ばね１４の弾性片１４２に設けられた突出部１４２ａは、連結部５０３の外壁面上を摺動し、連結部５０３の係合部５０３ｂ上を乗り越える。このような係合部５０３ｂを乗り越える際の一対の弾性片１４２の移動に伴ってクリック感触が生起される。この場合、各弾性片１４２は、コイルばね１７を挟んで対向する連結部５０３の係合部５０３ｂを挟み込むことから、移動部材５を傾けるような力が作用するのを防止できる。
【００８３】
このように本実施の形態に係る電気部品１においては、上ケース３の収容部３０４に回転検出手段を配設する一方、下ケース２の収容部２０３にプッシュスイッチを配設したことから、回転検出手段とプッシュスイッチとを、隔壁として機能する上ケース３の底面部３０１を介して上下に配置できるので、平面視した場合の部品寸法の小型化を実現できる。また、押圧操作体６が回転操作体７の貫通孔７３に挿通されると共に、その先端部（係合軸部６２）が筒状部３０５の貫通孔３０６に挿入されることから、貫通孔７３及び貫通孔３０６の双方で押圧操作体７を上下方向に案内できるので、押圧操作体６を適切に上下動させることができ、プッシュスイッチのオン／オフ状態の切り替えタイミングのバラつきの発生を抑制できる。さらに、回転検出手段とプッシュスイッチとが隔壁として機能する上ケース３の底面部で仕切られるため、プッシュスイッチのオン／オフ状態の切り替え時に発生する熱等の影響が回転検出手段に及ぶ事態を防止できるので、回転検出手段の検出精度の劣化を抑制できる。
【００８４】
特に、本実施の形態に係る電気部品１においては、プッシュスイッチを、収容部２０３内に収容され、押圧操作体６によって駆動されると共に上方に付勢された上下動可能な移動部材５と、収容部２０３に設けられた一対の固定接点１０と、これらの固定接点１０と接離する可動接点としての金属プレート１６とで構成している。これにより、下ケース２の収容部２０３の範囲内で固定接点１０及び可動接点を配置したので、大容量の電流に耐え得る接点構造を配置でき、プッシュスイッチを電源スイッチに適用できる。
【００８５】
また、本実施の形態に係る電気部品１においては、移動部材５に、基部５０１とこの基部５０１から上方へ突出して設けられた被押圧突起５０４とを設け、被押圧突起５０４を筒状部３０５の貫通孔３０６に、押圧操作体６の係合軸部６２の先端部と対向して挿入している。これにより、被押圧突起５０４を筒状部３０５の貫通孔３０６で案内できるので、移動部材５の移動に伴うガタつきを軽減でき、効果的にプッシュスイッチの切替えタイミングのバラつきを抑制できる。
【００８６】
特に、本実施の形態に係る電気部品１においては、被押圧突起５０４と基部５０１を挟んで対向する位置に、移動部材５を上方へ付勢するコイルばね１７を配置していることから、移動部材５が傾いた状態で上下動し難くでき、プッシュスイッチの切替えタイミングの精度を向上できる。そして、移動部材５の初期状態への復帰にコイルばね１７を用いていることから、移動部材５の移動量を大きくできるので、初期状態（オフ状態）における固定接点１０と金属プレート１６との間のギャップを大きく取ることができ、オフ状態の絶縁性を確保できる。
【００８７】
さらに、本実施の形態に係る電気部品１においては、移動部材５の基部５０１の後方側にプッシュスイッチ（電源スイッチ）を配置し、基部５０１の前方側に検出スイッチを配置していることから、移動部材５の上下動に伴ってバランス良くプッシュスイッチ（電源スイッチ）及び検出スイッチのオン／オフ状態を切り替えることができる。
【００８８】
さらに、本実施の形態に係る電気部品１においては、筐体が、固定接点９、１０が設けられた下ケース２と、この下ケース２を塞ぐように重ね合わされる上ケース３とで構成されることから、筐体内に構成部品を収容する際の作業効率を向上できる。また、回転検出手段を構成する摺動子部１２２が上ケース３の切り欠き部３０３に配置される保持部材４に埋設された状態で上ケース３の底面部３０１よりも上方に配設されることから、プッシュスイッチのオン／オフ状態の切り替え時に発生する熱等の影響が摺動子部１２２に及ぶ事態を防止できるので、回転検出手段の検出精度の劣化を効果的に抑制できる。
【００８９】
特に、本実施の形態に係る電気部品１においては、下ケース２及び上ケース３を、保持部材４よりも難燃性の高い合成樹脂で構成している。これにより、プッシュスイッチを難燃性の高い合成樹脂で形成された下ケース２及び上ケース３内に収容できることから、プッシュスイッチのオン／オフ状態の切替え時に発生する熱やアーク放電による筐体（下ケース２及び上ケース３）外の構成部品への影響を防止でき、安全性を確保できる。
【００９０】
ここで、本実施の形態に係る電気部品１の利用態様について説明する。以下においては、本実施の形態に係る電気部品１が洗濯機に利用されている場合について説明する。本実施の形態に係る電気部品１は、例えば、洗濯機における電源スイッチ回路に適用される。図１７は、本実施の形態に係る電気部品１が利用される洗濯機の電源スイッチ回路１０００の構成例を示す図である。なお、図１７に示す電源スイッチ回路１０００においては、本実施の形態に係る電気部品１が初期状態の場合について示している。
【００９１】
図１７に示すように、洗濯機が備える電源スイッチ回路１０００は、洗濯機の全体の制御を行う制御回路１００１を備える。この制御回路１００１には、交流電源１００２が接続されている。制御回路１００１と交流電源１００２との間には、電源スイッチ部１００３ａが接続されると共に、この電源スイッチ部１００３ａに並列にリレー１００４が接続されている。
【００９２】
電源スイッチ部１００３ａは、上述した金属プレート１６と、一対の固定接点１０とからなるプッシュスイッチにより構成される。一方の固定接点１０により接点ａ１が構成され、他方の固定接点１０により接点ａ２が構成される。電源スイッチ部１００３ａにおいては、上述した押圧操作体６に対する押圧操作に伴って接点ａ１と接点ａ２との導通状態が切り替えられる。電源スイッチ部１００３ａをオン状態とすることで、接点ａ１と接点ａ２とが導通状態に切り替えられ、制御回路１００１への電源供給が行われる。
【００９３】
リレー１００４は、制御回路１００１の制御の下、接点ｂ１と接点ｂ２との導通状態を切り替える。制御回路１００１からの信号は、破線で示す信号線ＳＬ１を介してリレー１００４に与えられる。リレー１００４をオン状態とすることで、接点ｂ１と接点ｂ２とが導通状態に切り替えられ、制御回路１００１への電源供給状態が維持される。
【００９４】
また、制御回路１００１には、検出スイッチ部１００３ｂが接続される。検出スイッチ部１００３ｂは、上述したトーションばね１５と、一定の固定接点９とからなる検出スイッチにより構成される。一方の固定接点９により接点ｂ１が構成され、他方の固定接点９により接点ｂ２が構成される。検出スイッチ部１００３ｂにおいては、押圧操作体６に対する押圧操作に伴って接点ｃ１と接点ｃ２との導通状態が切り替えられる。検出スイッチ部１００３ｂをオン状態とすることで、接点ｃ１と接点ｃ２とが導通状態に切り替えられ、破線で示す信号線ＳＬ２を介してオン信号が制御回路１００１に出力される。
【００９５】
交流電源１００２には、洗濯機が備える負荷１００５が接続されている。交流電源１００２の一端と負荷１００５との間には、リレー１００６が接続されている。リレー１００６は、制御回路１００１の制御の下、接点ｄ１と接点ｄ２との導通状態を切り替える。制御回路１００１からの信号は、破線で示す信号線ＳＬ３を介してリレー１００６に与えられる。リレー１００６をオン状態とすることで、接点ｄ１と接点ｄ２とが導通状態に切り替えられ、負荷１００５に対して電源供給が行われる。なお、洗濯機が備える負荷１００５には、例えば、洗濯槽を駆動するモーターや洗濯槽内の洗濯物に熱を放射するヒーターなどが含まれる。
【００９６】
初期状態における電源スイッチ回路１０００においては、図１７に示すように、電源スイッチ部１００３ａにて接点ａ１と接点ａ２とが非導通状態であり、検出スイッチ部１００３ｂにて接点ｃ１と接点ｃ２とが非導通状態である。したがって、制御回路１００１には電源供給が行われていない。また、リレー１００４にて接点ｂ１と接点ｂ２とが非導通状態であり、リレー１００６にて接点ｄ１と接点ｄ２とが非導通状態である。したがって、負荷１００５には電源供給が行われていない。
【００９７】
以下、図１７に示す電源スイッチ回路の動作について説明する。図１８〜図２６は、本実施の形態に係る電気部品１が利用される洗濯機の電源スイッチ回路１０００の動作状態の説明図である。
【００９８】
図１７に示す初期状態から、電気部品１の押圧操作体６で押圧操作を受け付け、金属プレート１６が一対の固定接点１０に当接すると、図１８に示すように、電源スイッチ部１００３ａにおいて、接点ａ１、ａ２間が導通状態に切り替えられる。これにより、制御回路１００１へ電源供給が開始される。
【００９９】
この場合、電源スイッチ部１００３ａと同時に、検出スイッチ部１００３ｂにおいて、接点ｃ１、ｃ２間が導通状態に切り替えられる。これにより、検出スイッチ部１００３ｂがオン状態となった旨を示す信号（オン信号）が信号線ＳＬ２を介して制御回路１００１に出力される。制御回路１００１においては、負荷１００５が稼働していない状態で検出されるオン信号については無視する。
【０１００】
電源供給を受けると、制御回路１００１は、リレー１００４をオン状態に切り替える信号（オン信号）を、信号線ＳＬ１を介してリレー１００４に出力する。これにより、リレー１００４がオン状態とされ、図１９に示すように、接点ｂ１、ｂ２間が導通状態に切り替えられる。この結果、電源スイッチ部１００３ａを経由する電源供給路に加え、リレー１００４を経由する電源供給路が形成される。
【０１０１】
リレー１００４がオン状態とされた後、押圧操作体６が押圧操作から解放されると、金属プレート１６が初期状態に復帰し、図２０に示すように、接点ａ１、ａ２間が非導通状態に切り替えられる。なお、この場合においても、接点ｂ１、ｂ２間が導通状態に維持されているため、リレー１００４を経由する電源供給路を介して、制御回路１００１への電源供給が継続される。
【０１０２】
洗濯機の操作者から洗濯開始などの指示を受け付けると、制御回路１００１は、信号線ＳＬ３を介してリレー１００６にオン信号を出力する。これにより、リレー１００６がオン状態とされ、図２１に示すように、接点ｄ１、ｄ２間が導通状態に切り替えられる。この結果、負荷１００５へ電源供給が開始される。この電源供給に伴い、負荷１００５が稼働する。
【０１０３】
負荷１００５による稼働が終了すると、制御回路１００１は、リレー１００６をオフ状態に切り替える信号（オフ信号）を、信号線ＳＬ３を介してリレー１００６に出力する。これにより、リレー１００６がオフ状態とされ、図２２に示すように、接点ｄ１、ｄ２間が非導通状態に切り替えられる。この結果、負荷１００５への電源供給が停止される。
【０１０４】
その後、制御回路１００１は、信号線ＳＬ１を介してリレー１００４にオフ信号を出力する。これにより、リレー１００４がオフ状態とされ、図２３に示すように、接点ｂ１、ｂ２間が非導通状態に切り替えられる。この結果、制御回路１００１への電源供給が停止される。すなわち、電源スイッチ回路１０００においては、負荷１００５の稼働停止後に自動で制御回路１００１への電源供給を停止するように構成されている（オートオフ機能）。
【０１０５】
また、電源スイッチ回路１０００においては、負荷１００５の稼働状態から、操作者からの指示に応じて制御回路１００１への電源供給を停止可能に構成されている。以下、この手動オフ機能について説明する。図２１に示すように負荷１００５が稼働している状態において、電気部品１の押圧操作体６で押圧操作を受け付け、トーションばね１５が一対の固定接点９に当接すると、図２４に示すように、検出スイッチ部１００３ｂにおいて、接点ｃ１、ｃ２間が導通状態に切り替えられる。これにより、検出スイッチ部１００３ｂからオン信号が信号線ＳＬ２を介して制御回路１００１に出力される。
【０１０６】
この場合、検出スイッチ部１００３ｂと同時に、電源スイッチ部１００３ａにおいて、接点ａ１、ａ２間が導通状態に切り替えられる。しかしながら、リレー１００４を経由して電源供給が行われていることから、制御回路１００１への電源供給状態が変更されることはない。
【０１０７】
負荷１００５が稼働している状態でオン信号を検出すると、制御回路１００１は、信号線ＳＬ３を介してリレー１００６にオフ信号を出力する。これにより、リレー１００６がオフ状態とされ、図２５に示すように、接点ｄ１、ｄ２間が非導通状態に切り替えられる。この結果、負荷１００５への電源供給が停止される。これに伴い、負荷１００５の稼働も停止する。なお、図２５においては、電気部品１の押圧操作体６への押圧操作が開放された状態を示している。
【０１０８】
その後、制御回路１００１は、信号線ＳＬ１を介してリレー１００４にオフ信号を出力する。これにより、リレー１００４がオフ状態とされ、図２６に示すように、接点ｂ１、ｂ２間が非導通状態に切り替えられる。この結果、制御回路１００１への電源供給が停止される。すなわち、電源スイッチ回路１０００においては、負荷１００５の稼働状態において、手動で制御回路１００１への電源供給を停止するように構成されている（手動オフ機能）。
【０１０９】
このような電源スイッチ回路１０００に、本実施の形態に係る電気部品１を利用することにより、負荷１００５の稼働後に電源供給を自動的に停止でき、待機電力を低減できる洗濯機を提供することが可能となる。なお、ここでは、洗濯機の電源スイッチ回路１０００を具体例に用いて説明しているが、電気部品１が適用される電源スイッチ回路１０００については、洗濯機に限定されるものではなく、任意の機器の電源スイッチ回路１０００に適用することが可能である。また、例えば、電気部品１を電子レンジに利用する場合、電子レンジの各種メニューの選択操作を回転操作体７への回転操作により行い、回転操作により選択したメニューの決定を押圧操作体６への押圧操作による検出スイッチの導通状態の切り替えで行うことができる。
【０１１０】
なお、本発明は、上記実施の形態に限定されず、種々変更して実施することが可能である。上記実施の形態において、添付図面に図示されている大きさや形状などについては、これに限定されず、本考案の効果を発揮する範囲内で適宜変更することが可能である。その他、本考案の目的の範囲を逸脱しない限りにおいて適宜変更して実施することが可能である。
【０１１１】
例えば、上記実施の形態においては、移動部材５の被押圧突起５０４の上端面を平面形状に設ける場合について説明している。しかしながら、被押圧突起５０４の構成については、これに限定されるものではなく適宜変更が可能である。例えば、被押圧突起５０４の上端面を球面形状に設けてもよい。この場合には、押圧操作体６からの押圧操作を被押圧突起５０４の中央で受け付けることができるので、更に移動部材５が傾いた状態で上下動し難くできる。
【符号の説明】
【０１１３】
１  複合操作型電気部品（電気部品）
２  下ケース（筐体）
２０１  底面部
２０２  側壁部
２０３  収容部（第２収容部）
２０４  壁部
２１１  端子保持部
３  上ケース（筐体）
３０１  底面部（隔壁）
３０２  側壁部
３０３  切り欠き部
３０４  収容部
３０５  筒状部（第２筒状部）
３０６  貫通孔（孔部）
３０７  ばね保持部
４  保持部材
５  移動部材
５０１  基部
５０２  壁部
５０３  連結部
５０３ａ  収容凹部
５０３ｂ  係合部
５０４  被押圧突起
５０５  ばね保持部
５０６  プレート保持部
６  押圧操作体
６１  操作軸部
６２  係合軸部
７  押圧操作体
７１  筒状部（第１筒状部）
７２  円盤形状部
７３  貫通孔
７４  凹凸部
８  カバー部材
８１  上面部
８１ａ  開口部
９  固定接点
９１  平面部
９２  外部端子部
１０  固定接点
１０１  平面部
１０２  外部端子部
１０３  銀チップ
１１  クリック用板ばね（板ばね）
１１１  突出部
１２  摺動部材
１２１  外部端子部
１２２  摺動子部（摺動子）
１３  コイルばね
１４  板ばね
１４１  底面部
１４２  弾性片
１５  トーションばね（可動接点）
１５１  巻回部
１５２  腕部
１６  金属プレート（可動接点）
１６１  底面部
１６３ａ  第１平面部
１６３ｂ  第２平面部
１６３ｃ、１６３ｄ  突出部
１６３ｅ  銀チップ
１７  コイルばね
【図１】
0005681004.tif 000002
【図２】
0005681004.tif 000003
【図３】
0005681004.tif 000004
【図４】
0005681004.tif 000005
【図５】
0005681004.tif 000006
【図６】
0005681004.tif 000007
【図７】
0005681004.tif 000008
【図８】
0005681004.tif 000009
【図９】
0005681004.tif 000010
【図１０】
0005681004.tif 000011
【図１１】
0005681004.tif 000012
【図１２】
0005681004.tif 000013
【図１３】
0005681004.tif 000014
【図１４】
0005681004.tif 000015
【図１５】
0005681004.tif 000016
【図１６】
0005681004.tif 000017
【図１７】
0005681004.tif 000018
【図１８】
0005681004.tif 000019
【図１９】
0005681004.tif 000020
【図２０】
0005681004.tif 000021
【図２１】
0005681004.tif 000022
【図２２】
0005681004.tif 000023
【図２３】
0005681004.tif 000024
【図２４】
0005681004.tif 000025
【図２５】
0005681004.tif 000026
【図２６】
0005681004.tif 000027